(57)【要約】【課題】任意の複数の方向に光を容易に照射することができ、取付作業や調整作業が容易で、小型かつ軽量に構成できるようにする。【解決手段】内部に光源を備え全面に透光体１１３，１２３を配置した表示部材１１，１２を連結部材２１，２２を介して連結した。表示部材１１及び表示部材１２は、側辺１１１，１２２を回転軸として互いに回転自在に支持される。連結部材２１，２２は、表示部材１１の光源と表示部材１２の光源とを電気的に接続する。表示部材１１、１２は、互いのなす角度を任意に設定した状態で、取付部材３１，３２の孔部３３，３４，３５，３６を貫通する取付ネジによって所定の取付場所に取り付けられる。【選択図】図１
2006337794.tif 000002
【特許請求の範囲】
【請求項１】
それぞれが外表面の少なくとも一部を構成する透光体を備えるとともに、前記透光体の内側に光源を配置し、前記光源の光を前記透光体を介して所定の方向に照射する複数の表示部材と、
一方の前記表示部材の第１の端部と他方の前記表示部材の第２の端部とにおいて互いに移動自在にして隣接する２つの前記表示部材を連結する少なくとも１つの連結部材と、
を設けたことを特徴とする光照射装置。
【請求項２】
前記表示部材は矩形の平板状を呈し、前記第１の端部及び前記第２の端部は前記表示部材において互いに平行な第１及び第２の側辺部であり、前記連結部材は一方の第１の側辺部及び他方の第２の側辺部を回転軸として２つの前記表示部材を互いに回動自在に連結することを特徴とする請求項１に記載の光照射装置。
【請求項３】
前記表示部材は柱状を呈し、前記第１の端部及び前記第２の端部は前記表示部材における軸方向の第１及び第２の端部であり、前記連結部材は一方の第１の端部と他方の第２の端部との間における一方の軸方向及び他方の軸方向のそれぞれに直交する方向の回転軸回りに２つの前記表示部材を互いに回動自在に連結することを特徴とする請求項１に記載の光照射装置。
【請求項４】
前記光源は青色光を照射する光源であり、前記透光体は前記表示部材に対して着脱自在に設けられて背面から入射した光源の光の第１の波長よりも長い第２の波長の光を発光して第２の波長の光を前面側に出射することを特徴とする請求項１乃至３の何れかに記載の光照射装置。
【請求項５】
前記表示部材は前記第１及び第２の端部のそれぞれに近接して前記光源に対する配線部を配置し、前記連結部材は両端部のそれぞれが前記表示部材における前記第１及び第２の端部に嵌入して前記配線部に電気的に接続される導電体を備えたことを特徴とする請求項１乃至４の何れかに記載の光照射装置。
【請求項６】
前記導電体の両端部が前記表示部材の前記第１及び第２の端部のそれぞれに嵌入した際に、前記導電体の両端部及び前記配線部の水密状態を維持する防水部材をさらに備えたことを特徴とする請求項５に記載の光照射装置。
【発明の詳細な説明】
【技術分野】
【０００１】
この発明は、内部に備えた光源の光を複数の方向に照射することができるようにした光照射装置に関する。
【背景技術】
【０００２】
内部に備えた光源の光を外部に照射して機器等の状態を表示する光照射装置である表示灯は、光源の光を複数の方向に照射すべき場合がある。例えば、工場に設置された機器の異常を表示する表示灯は、工場内に存在している全ての作業者によって視認できるようにする必要がある。また、通路内における行き先を表示する天井吊り下げ型の誘導灯等の表示灯は、通路の通行方向の両側から視認できるようにすべきである。
【０００３】
そこで、工場内の機器に用いられる従来の表示灯は、機器の天面に取り付けられるもの、機器の複数の側面のそれぞれに取り付けられるもの、機器の角部に支持金具を介して取り付けられるもの、機器の角部をくり抜いて内部に配置されるもの等があった。
【０００４】
また、天井吊り下げ型の従来の表示灯は、天井から吊り下げた筐体に光源を配置して通行方向に対向する筐体の２面に透光性の表示パネルを備えたもの、天井から吊り下げた支持体の通行方向に対向する２面のそれぞれに光源及び透光性の表示パネルを配置したものがある（例えば、特許文献１参照。）。
【特許文献１】特開２００５−７７８００号公報
【発明の開示】
【発明が解決しようとする課題】
【０００５】
しかしながら、従来の表示灯において、機器の天面に取り付けられるものでは、機器が大型になると機器の近傍からの視認性が悪い。機器の複数の側面のそれぞれに取り付けられるものでは、取付作業が煩雑で複数の表示内容の関係が不明確になる。機器の角部に支持金具を介して取り付けられるものでは、機器の角部から突出するために破損を生じ易いだけでなく、作業者が負傷する危険性がある。機器の角部をくり抜いて内部に配置されるものでは、機器の内部にスペースを設ける必要があり、機器の設計時の負担が大きい。
【０００６】
また、通路内における行き先を表示する天井吊り下げ型の従来の表示灯は、小型かつ軽量に構成することが困難で、天井面への設置作業が煩雑になる。
【０００７】
この発明の目的は、任意の複数の方向に光を容易に照射することができ、取付作業や調整作業が容易で、小型かつ軽量に構成することができる光照射装置を提供することにある。
【課題を解決するための手段】
【０００８】
この発明は、上記の課題を解決するための手段として、それぞれが外表面の少なくとも一部を構成する透光体を備えるとともに、前記透光体の内側に光源を配置し、前記光源の光を前記透光体を介して所定の方向に照射する複数の表示部材と、
一方の前記表示部材の第１の端部と他方の前記表示部材の第２の端部とにおいて互いに移動自在にして隣接する２つの前記表示部材を連結する少なくとも１つの連結部材と、
を設けたことを特徴とする。
【０００９】
この構成においては、それぞれが光源の光を透光体を介して所定の方向に照射する少なくとも２つの表示部材が、連結部材を介して互いに移動自在にして連結される。したがって、少なくとも２つの表示部材のうちの一方を他方に対して移動させることにより、２つの表示部材のそれぞれによる光の照射方向が任意の方向に向けられる。
【発明の効果】
【００１０】
この発明によれば、連結部材を介して少なくとも２つの表示部材の一方を他方に対して移動させることができ、２つの表示部材のそれぞれによる光の照射方向を任意の方向に容易に設定することができる。これによって、任意の複数の方向に光を容易に照射することができ、取付作業や調整作業が容易で、装置を小型かつ軽量に構成することができる。
【発明を実施するための最良の形態】
【００１１】
以下に、この発明の実施形態に係る光照射装置として表示灯装置を例にあげて説明する。図１は、この発明の第１の実施形態に係る光照射装置の一例である表示灯装置１の正面図である。表示灯装置１は、表示部材１１，１２、連結部材２１，２２、取付部材３１，３２からなる。表示灯装置１は、２個の表示部材１１，１２を、上下２個の連結部材２１，２２によって互いに移動自在に連結している。表示部材１１は、矩形の薄板状を呈しており、内部に光源を収納し、前面にパネル状の透光体１１３を着脱自在に備えている。
【００１２】
表示部材１１は、図２（Ａ）に示すように、前面が開放した矩形の薄型筐体の内部に、前面側に複数のＬＥＤを実装した基板１１８、及び、基板１１８の前面側に配置された拡散板１１９を収納し、薄型筐体の前面に透光体１１３を着脱自在に備えている。基板１１８及び拡散板１１９はこの発明の光源を構成しており、基板１１８のＬＥＤの光は拡散板１１９において拡散され、透光体１１３の全面に略均一の照度で照射される。
【００１３】
なお、図２（Ｂ）に示すように、基板１１８及び拡散板１１９に代えて、光源として基板１２８及び導光板１２９を備えることもできる。基板１２８には、導光板１２９の端面に対向する複数のＬＥＤが実装されている。導光板１２９は、端面から入射した光を前面側に全面にわたって略均一の照度で配光する。
【００１４】
表示部材１１は、透光体１１３において面発光する。透光体１１３の前面には、任意の文字、図形、記号等を表記することができ、基板１１８，１２８に実装されたＬＥＤを選択的に駆動することにより、透光体１１３に着色された色の光や表記された文字等を選択的に表示することができる。
【００１５】
また、基板１１８、１２８に青色の波長光を第１の波長光として照射するＬＥＤを実装し、背面から入射した第１の波長光によって第１の波長光より波長の長い第２の波長光を発光して前面側に出射する蛍光板、及び、第２の波長光のみを透過させるフィルタによって透光体１１３を構成することもできる。蛍光板及びフィルタの詳細については、特許第３１６５３７８号公報に記載されている。
【００１６】
これにより、第２の波長光として互いに異なる波長光を発光する複数種類の透光体１１３を準備しておけば、表示部材１１の前面に装着する透光体１１３を別の種類の透光体１１３に取り換えるだけで、光源を変更することなく表示部材１１の表示光の色を容易に変更することができる。
【００１７】
表示部材１１の第１の側辺１１１及び第２の側辺１１２のそれぞれの上下両端には、凹部１１４，１１５，１１６，１１７が形成されている。表示部材１２は、表示部材１１と同一の構成を有し、前面にパネル状の透光体１２３を着脱自在に備えるとともに、第１の側辺１２１及び第２の側辺１２２のそれぞれの上下両端に、凹部１２４，１２５，１２６，１２７が形成されている。表示部材１２は、第２の側辺１２２が表示部材１１の第１の側辺１１１に近接するように表示部材１１に並設される。したがって、表示部材１１の凹部１１４，１１５のそれぞれと表示部材１２の凹部１２６，１２７のそれぞれとが隣接する。
【００１８】
表示部材１１の凹部１１４と表示部材１２の凹部１２６とに連結部材２１が配置され、表示部材１２の凹部１１５と表示部材１２の凹部１２７とに連結部材２２が配置されている。図３に示すように、表示部材１１の凹部１１４には、側辺１１１に平行な円筒形状を呈する導電体のコネクタ１１４１が設けられている。コネクタ１１４１は、表示部材１１の内部において基板１１８から延出した導電線１１４２が接続されている。表示部材１１の凹部１１５，１１６，１１７も、凹部１１４と同様に構成されている。また、表示部材１２にも表示部材１１と同様にして凹部１２４〜１２７にコネクタ１２６１が設けられている。
【００１９】
連結部材２１は、絶縁体で構成された本体の内部に導電体のプラグ２１１を備えている。プラグ２１１の両端部は連結部材２１の底面から下方に向かって互いに平行に露出している。プラグ２１１の断面は、コネクタ１１４１，１２６１の内径に略等しい外径の円形を呈している。プラグ２１１において連結部材２１の底面から露出した部分は、コネクタ１１４１，１２６１に嵌入する。
【００２０】
プラグ２１１において連結部材２１の底面から露出した部分の中間部には溝部２１２，２１３が環状に形成されており、コネクタ１１４１，１２６１の内周面には軸方向の中間部に段部１１４３が環状に形成されている。溝部２１２に段部１１４３が嵌入することにより、凹部１１４においてコネクタ１１４１からのプラグ２１１の抜脱が規制されている。凹部１２６においても、凹部１１４と同様にしてコネクタ１１４１からのプラグ２１１の抜脱が規制されている。
【００２１】
凹部１１４及び凹部１２６において、コネクタ１１４１及び１２６１にプラグ２１１の両端部のそれぞれを嵌入させることにより、表示部材１１の内部に収納された基板１１８と表示部材１２の内部に収納された基板１１８とが、コネクタ１１４１，１２６１及びプラグ２１１を介して電気的に接続される。
【００２２】
連結部材２２は連結部材２１と同様に構成されており、凹部１１５及び凹部１２７において連結部材２１と同様に、表示部材１１及び表示部材１２を連結する。表示部材１１は側辺１１１を回転軸として連結部材２１，２２に回転自在に支持され、表示部材１２は側辺１２２を回転軸として連結部材２１，２２に回転自在に支持される。したがって、表示部材１１と表示部材１２とのなす角度を任意に設定することができる。
【００２３】
取付部材３１，３２は、図１に示すように、それぞれ表示部材１１の第２の側辺１１２及び表示部材１２の第１の側辺１２１に装着される。取付部材３１の上下端は、表示部材１１側に延出している。取付部材３１の上下端において表示部材１１側に延出した部分から、図示しない導電体のプラグが露出しており、凹部１１６，１１７のそれぞれに設けられた図示しないコネクタに嵌入する。このため、取付部材３１は、上下方向に伸縮自在、又は、少なくとも２分割に構成される。
【００２４】
取付部材３２は、取付部材３１と略同様に構成されている。取付部材３２の上下端において表示部材１２側に延出した部分から露出した図示しないプラグのそれぞれが、表示部材１２の凹部１２４，１２５に設けられた図示しないコネクタに嵌入する。取付部材３１，３２の上下端には、取付孔３３，３４，３５，３６が形成されている。
【００２５】
なお、取付部材３１の上下端から露出したプラグのそれぞれは、取付部材３１の内部において互いに電気的に接続されておらず、それぞれ取付部材３１の背面に端部が露出している。これに対して、取付部材３２の上下端から露出したプラグのそれぞれは、取付部材３２の内部において電気的に接続されている。これによって、表示部材１１，１２、連結部材２１，２２及び取付部材３１，３２には、図１中破線で示すように、基板１１８に実装されたＬＥＤに対する給電用の回路が構成される。
【００２６】
以上の構成により、例えば、図４（Ａ）に示すように、表示部材１１と表示部材１２とのなす角度を９０度として、表示部材１１，１２のそれぞれを機器の角部を構成する２側面のそれぞれに平行に配置することができる。このとき、取付部材３１，３２の取付孔３３，３４，３５，３６に取付ネジを貫通させて機器の側面のネジ孔に螺合させることにより、表示部材１１，１２を機器に固定することができる。また、表示部材１１，１２のＬＥＤに給電するためには、機器の側面において取付部材３２の背面に露出したプラグの端部に対向する部分に、単一の接続用の孔部又はコネクタを設けるだけでよい。
【００２７】
図４（Ａ）に示した例のほか、任意の角度をなす２面によって構成された機器の角部に、表示部材１１，１２を有する表示灯装置１を取り付けることができる。
【００２８】
また、図４（Ｂ）に示すように、表示部材１１と表示部材１２とのなす角度を０度とし、天井面に取り付けて通路内における行き先を表示する天井吊り下げ型の誘導灯を構成することができる。この場合にも、取付部材３１，３２の取付孔３３，３４，３５，３６に取付ネジを貫通させて天井面の側面のネジ孔に螺合させることにより、表示部材１１，１２を天井に固定することができる。また、表示部材１１，１２のＬＥＤに対する給電用の孔部又はコネクタは、天井面において取付部材３２の背面に露出したプラグの端部に対向する１箇所にのみ設けるだけでよい。
【００２９】
なお、連結部材２１，２２及び取付部材３１，３２において、底面から露出したプラグ２１１等の中間部にリング状を呈する絶縁性の弾性体からなるパッキン２１３（図５参照。）を外嵌しておくことにより、コネクタ１１４１，１２６１等における水密性を維持して表示部材１１，１２の防水性を確保することができる。
【００３０】
前述のように、基板１１８、１２８に青色の第１の波長光を照射するＬＥＤを実装し、背面から入射した第１の波長光によって第１の波長光より波長の長い第２の波長光を発光して前面側に出射する蛍光板、及び、第２の波長光のみを透過させるフィルタによって透光体１１３を構成した場合、表示部材１１，１２を所定の位置に配置した後にも、透光体１１３，１２３を交換することのみによって、表示部材１１，１２の着脱作業や内部の回路の変更作業を伴うことなく、また、表示部材１１，１２の防水機能を損なうことなく、表示部材１１，１２の表示色を容易に変更すことができる。
【００３１】
また、上記の実施形態に係る表示灯装置１は２個の表示部材１１，１２を横方向に並設した例であるが、この発明の光照射装置はこれに限るものではなく、３個以上の表示部材を並設して配置することもできる。この場合にも、各表示部材の間のそれぞれに連結部材２１，２２を配置することで、各表示部材同士がなす角度を光照射装置の取付場所の形状に合せた角度にして、種々の形状の取付場所に光照射装置を取り付けることができる。
【００３２】
さらに、図６に示すように、それぞれが３個以上の表示部材を並設した光照射装置３を上下方向に複数積層して配置することもできる。この場合に、各表示部材の光源に第１の波長光である青色の光を照射するＬＥＤを用いるとともに透光体を透明とし、背面から入射した第１の波長光によって第１の波長光より波長の長い第２の波長光を発光して前面側に出射する蛍光板、及び、第２の波長光のみを透過させるフィルタからなる円筒状のカバー６によって各光照射装置３の外周を被覆する。この構成により、カバー６の組み合わせを変えるのみで、上下方向の表示色の配列を容易に変更することができる。
【００３３】
また、上記の実施形態に係る表示灯装置１は表示部材１１，１２を矩形に形成した例であるが、この発明の光照射装置はこれに限るものではなく、表示部材を三角形や円形等の任意の形状とすることができる。特に、図７（Ａ）に示すように、正三角形の薄板状とした３枚の表示部材４１，４２，４３を備え、連結部材５１，５２を介して表示部材４１に対して表示部材４２，４３を互いに１辺を回動軸として回動自在にすることにより、図７（Ｂ）に示すように三角錐形状の表示体４を構成することができる。この場合、表示部材４１，４２，４３の少なくとも何れかに、乾電池等の電源が備えられる。
【００３４】
図８は、この発明の第２の実施形態に係る光照射装置の一例である表示灯装置２の外観図である。表示灯装置２は、円筒状を呈する２個の表示部材７１，７２を連結部材８１によって互いに移動自在に連結したものである。表示部材７１は、内部に光源を備え、外周面の全面に円筒状の透光体７１１を着脱自在に備えている。透光体７１１は、表示灯装置１の透光体１１３と同様に構成することができる。表示部材７２は、表示部材７１と同様に構成されている。
【００３５】
連結部材８１は、図９（Ａ）に示すように、それぞれが円柱状のプラグ９１，９２を延出させた半球形状の第１部材８１１及び第２部材８１２からなる。第１部材８１１及び第２部材８１２においてプラグ９１及びプラグ９２は平面部分に平行に延出している。第１部材８１１及び第２部材８１２は、それぞれの平面部分を対向させた状態で、平面部分に直交する回転軸回りに互いに回動自在に組み立てられる。第１部材８１１と第２部材８１２とを組み立てると、プラグ９２の端部が第１部材８１１の内部においてプラグ９１の端部に嵌合する。
【００３６】
表示部材７１，７２の両端部には、連結部材８１の外径に略等しい内径の半球状の凹部７１３，７１４が形成されている。凹部７１３，７１４の中央部には表示部材７１，７２の内部に向かう円柱状の穴部７１５，７１６が形成されている。穴部７１５，７１６の内径は、プラグ９１，９２の外径に略等しくされている。
【００３７】
図９（Ｂ）に示すように、プラグ９１，９２をそれぞれ穴部７１５，７１６に嵌入させることにより、表示部材７１，７２が連結部材８１を介して連結される。連結部材８１によって連結した状態で、表示部材７１，７２は、互いの軸方向がなす角度を任意に変更することができる。また、表示部材７１，７２のそれぞれがプラグ９１，９２の軸回りに回転自在であることから、表示部材７１，７２は、互いの軸向りに回転することができる。
【００３８】
なお、表示部材７１，７２のそれぞれの内部に、乾電池等の光源の電源を収納することができる。また、表示部材７１，７２の一方にのみ電源を備え、導電体によって構成したプラグ９１，９２を介して他方に電源を供給することもできる。
【００３９】
また、図８に示した表示灯装置２では、２個の表示部材７１，７２を１個の連結部材８１によって連結しているが、これに限るものではなく、３個以上の表示部材を２個以上の連結部材によって順次連結することもできる。
【００４０】
さらに、図９（Ａ）に示した連結部材８１を用いて、２個の薄板状の表示部材をそれぞれの１点において連結することもできる。
【００４１】
以上、本発明は図１〜９に示すものに限らない。例えば、本発明は実施形態では表示灯装置に適用した場合を示したが、その他、照明装置に適用してもよい。また、不要ならば実施形態の拡散板は省略してもよい。また、防水部材は実施形態では図５のパッキン２１３として連結部材側に設けた場合を説明したが、表示部材側に設けたり、着脱自在に付加できるようにしてもよい。さらに、実施形態では第２波長のみを透過させるフィルタを設けたが、このフィルタを削除し、特許第３１６８１５２号公報に記載のように、第２の波長の光に加え、第２の波長に変換されなかった残りの第１の波長の光をも全面側に出射する構成にしてもよい。
【図面の簡単な説明】
【００４２】
【図１】この発明の第１の実施形態に係る光照射装置の一例である表示灯装置１の正面図である。
【図２】同表示灯装置１の表示部材１１の構成を示す断面図である。
【図３】同表示灯装置１の連結部材２１の構成を表示部材１１の要部とともに示す図である。
【図４】同表示灯装置１の使用状態を説明する図である。
【図５】同表示灯装置１の連結部材２１の他の構成を表示部材１１の要部とともに示す図である。
【図６】同表示灯装置１の別の使用状態を説明する図である。
【図７】同表示灯装置１のさらに別の使用状態を説明する図である。
【図８】この発明の第２の実施形態に係る表示灯装置２の外観図である。
【図９】同表示灯装置２及びその連結部材８１の組立図である。
【符号の説明】
【００４３】
１  表示灯
１１，１２  表示部材
２１，２２  連結部材
３１，３２  取付部材
１１１，１２１  第１の側辺
１１２，１２２  第２の側辺
１１３，１２３  透光体
【図１】
2006337794.tif 000003
【図２】
2006337794.tif 000004
【図３】
2006337794.tif 000005
【図４】
2006337794.tif 000006
【図５】
2006337794.tif 000007
【図６】
2006337794.tif 000008
【図７】
2006337794.tif 000009
【図８】
2006337794.tif 000010
【図９】
2006337794.tif 000011